(57)【要約】【課題】  この発明は、１フレーム期間の各ラインの点灯回数を増加させることができる表示装置を提供することを目的とする。【解決手段】  隣接サブフレームの一方のサブフレームにおいては、奇数番目の走査ラインとその次の偶数番目の走査ラインとからなる複数の走査ラインペアに対応する走査電極ペアに駆動電圧が１走査電極ペア毎に順次印加されるとともに、データ電極には、電圧が印加される走査電極ペアに対応する２つの走査ラインのうち奇数番目の走査ラインに相当するデータに対応する電圧が印加され、他方のサブフレームにおいては、偶数番目の走査ラインとその次の奇数番目の走査ラインとからなる複数の走査ラインペアに対応する走査電極ペアに駆動電圧が１走査電極ペア毎に順次印加されるとともに、データ電極には、電圧が印加される走査電極ペアに対応する２つの走査ラインのうち偶数番目の走査ラインに相当するデータに対応する電圧が印加される。【選択図】  図１
2005266236.tif 000002
【特許請求の範囲】
【請求項１】
データ電極と走査電極とがマトリクス状に配置された自発光型表示器を備えた表示装置において、
デジタル信号処理によって自発光型表示器の駆動制御を行うものであって、１フレームを複数のサブフレームに分割し、サブフレーム毎に、自発光型表示器を駆動させるための駆動制御手段を備えており、
駆動制御手段は、隣接する２つのサブフレームの一方のサブフレームにおいては、奇数番目の走査ラインとその次の偶数番目の走査ラインとからなる複数の走査ラインペアに対応する走査電極ペアに、駆動電圧が１走査電極ペア毎に順次印加されるとともに、データ電極には、電圧が印加される走査電極ペアに対応する２つの走査ラインのうち、奇数番目の走査ラインに相当するデータに対応する電圧が印加され、他方のサブフレームにおいては、偶数番目の走査ラインとその次の奇数番目の走査ラインとからなる複数の走査ラインペアに対応する走査電極ペアに、駆動電圧が１走査電極ペア毎に順次印加されるとともに、データ電極には、電圧が印加される走査電極ペアに対応する２つの走査ラインのうち、偶数番目の走査ラインに相当するデータに対応する電圧が印加されるように、自発光型表示器を駆動制御するものであることを特徴とする表示装置。
【請求項２】
データ電極と走査電極とがマトリクス状に配置された自発光型表示器を備えた表示装置において、
デジタル信号処理によって自発光型表示器の駆動制御を行うものであって、１フレームを複数のサブフレームに分割し、サブフレーム毎に、自発光型表示器を駆動させるための駆動制御手段を備えており、
駆動制御手段は、隣接する２つのサブフレームの一方のサブフレームにおいては、奇数番目の走査ラインとその次の偶数番目の走査ラインとからなる複数の走査ラインペアに対応する走査電極ペアに、駆動電圧が１走査電極ペア毎に順次印加されるとともに、データ電極には、電圧が印加される走査電極ペアに対応する２つの走査ラインのうち、偶数番目の走査ラインに相当するデータに対応する電圧が印加され、他方のサブフレームにおいては、偶数番目の走査ラインとその次の奇数番目の走査ラインとからなる複数の走査ラインペアに対応する走査電極ペアに、駆動電圧が１走査電極ペア毎に順次印加されるとともに、データ電極には、電圧が印加される走査電極ペアに対応する２つの走査ラインのうち、奇数番目の走査ラインに相当するデータに対応する電圧が印加されるように、自発光型表示器を駆動制御するものであることを特徴とする表示装置。
【請求項３】
データ電極と走査電極とがマトリクス状に配置された自発光型表示器を備えた表示装置において、
デジタル信号処理によって自発光型表示器の駆動制御を行うものであって、１フレームを複数のサブフレームに分割し、サブフレーム毎に、自発光型表示器を駆動させるための駆動制御手段を備えており、
駆動制御手段は、少なくとも１つのサブフレームにおいては、隣接する２つの走査ラインからなる複数の走査ラインペアに対応する走査電極ペアに、駆動電圧が１走査電極ペア毎に順次印加されるとともに、データ電極には、電圧が印加される走査電極ペアに対応する２つの走査ラインに相当するデータの平均値に対応する電圧が印加されるように、自発光型表示器を駆動制御するものであることを特徴とする表示装置。
【発明の詳細な説明】
【技術分野】
【０００１】
本発明は、データ電極と走査電極とがマトリクス状に配置された自発光型表示器を備えた表示装置に関する。
【背景技術】
【０００２】
データ電極と走査電極とがマトリクス状に配置され、走査電極側に順次電圧が印加されることにより、走査ライン毎に発光を行う自発光型表示器を備えた表示装置が知られている。この種の表示装置の中には、１フレーム期間を複数のサブフレーム期間に分割し、各サブフレーム期間に、１ラインのデータに相当する信号をデータ電極に入力すると同時に、１つの走査電極に駆動電圧を印加するものがある。
【０００３】
このような表示装置では、発光輝度を上げるためには、１フレーム期間の各ラインの点灯回数を増加させればよいが、サブフレームの数を増加させるには限界がある。
【発明の開示】
【発明が解決しようとする課題】
【０００４】
この発明は、サブフレーム数を増加させることなく、１フレーム期間の各ラインの点灯回数を増加させることができる表示装置を提供することを目的とする。
【課題を解決するための手段】
【０００５】
請求項１に記載の発明は、データ電極と走査電極とがマトリクス状に配置された自発光型表示器を備えた表示装置において、デジタル信号処理によって自発光型表示器の駆動制御を行うものであって、１フレームを複数のサブフレームに分割し、サブフレーム毎に、自発光型表示器を駆動させるための駆動制御手段を備えており、駆動制御手段は、隣接する２つのサブフレームの一方のサブフレームにおいては、奇数番目の走査ラインとその次の偶数番目の走査ラインとからなる複数の走査ラインペアに対応する走査電極ペアに、駆動電圧が１走査電極ペア毎に順次印加されるとともに、データ電極には、電圧が印加される走査電極ペアに対応する２つの走査ラインのうち、奇数番目の走査ラインに相当するデータに対応する電圧が印加され、他方のサブフレームにおいては、偶数番目の走査ラインとその次の奇数番目の走査ラインとからなる複数の走査ラインペアに対応する走査電極ペアに、駆動電圧が１走査電極ペア毎に順次印加されるとともに、データ電極には、電圧が印加される走査電極ペアに対応する２つの走査ラインのうち、偶数番目の走査ラインに相当するデータに対応する電圧が印加されるように、自発光型表示器を駆動制御するものであることを特徴とする。
【０００６】
請求項２に記載の発明は、データ電極と走査電極とがマトリクス状に配置された自発光型表示器を備えた表示装置において、デジタル信号処理によって自発光型表示器の駆動制御を行うものであって、１フレームを複数のサブフレームに分割し、サブフレーム毎に、自発光型表示器を駆動させるための駆動制御手段を備えており、駆動制御手段は、隣接する２つのサブフレームの一方のサブフレームにおいては、奇数番目の走査ラインとその次の偶数番目の走査ラインとからなる複数の走査ラインペアに対応する走査電極ペアに、駆動電圧が１走査電極ペア毎に順次印加されるとともに、データ電極には、電圧が印加される走査電極ペアに対応する２つの走査ラインのうち、偶数番目の走査ラインに相当するデータに対応する電圧が印加され、他方のサブフレームにおいては、偶数番目の走査ラインとその次の奇数番目の走査ラインとからなる複数の走査ラインペアに対応する走査電極ペアに、駆動電圧が１走査電極ペア毎に順次印加されるとともに、データ電極には、電圧が印加される走査電極ペアに対応する２つの走査ラインのうち、奇数番目の走査ラインに相当するデータに対応する電圧が印加されるように、自発光型表示器を駆動制御するものであることを特徴とする。
【０００７】
請求項３に記載の発明は、データ電極と走査電極とがマトリクス状に配置された自発光型表示器を備えた表示装置において、デジタル信号処理によって自発光型表示器の駆動制御を行うものであって、１フレームを複数のサブフレームに分割し、サブフレーム毎に、自発光型表示器を駆動させるための駆動制御手段を備えており、駆動制御手段は、少なくとも１つのサブフレームにおいては、隣接する２つの走査ラインからなる複数の走査ラインペアに対応する走査電極ペアに、駆動電圧が１走査電極ペア毎に順次印加されるとともに、データ電極には、電圧が印加される走査電極ペアに対応する２つの走査ラインに相当するデータの平均値に対応する電圧が印加されるように、自発光型表示器を駆動制御するものであることを特徴とする。
【発明の効果】
【０００８】
この発明によれば、サブフレーム数を増加させることなく、１フレーム期間の各ラインの点灯回数を増加させることができるようになる。
【発明を実施するための最良の形態】
【０００９】
以下、図面を参照して、この発明の実施例について説明する。
【実施例１】
【００１０】
〔１〕表示装置の構成の説明
図１は、無機ＥＬディスプレイ等の自発光型表示器を備えた表示装置の電気的構成を示している。
【００１１】
自発光型表示器１０は、データ電極に入力信号に応じた電圧を印加するためのデータドライバ１１と、走査電極に駆動電圧を印加するための走査ドライバ１２とを備えている。データドライバ１１は、データドライバ制御部２によって制御される。走査ドライバ１２は走査ドライバ制御部４によって制御される。
【００１２】
入力信号（デジタル信号）は、フレームメモリ１に送られる。入力信号の同期信号は、サブフレーム駆動制御部３に送られる。サブフレーム駆動制御部３は、フレームメモリ１からのデータの読み出しを制御するとともに、電圧を印加すべき走査ラインを指定するための制御信号を走査ドライバ制御部４に与える。
【００１３】
〔２〕動作の説明
図２を参照して、図１の表示装置の動作について説明する。
【００１４】
この例では、図２に示すように、１フレーム期間Ｔが４つのサブフレーム期間Ｔｓ１〜Ｔｓ４に分割されている。
【００１５】
図２において、Ｌ１〜Ｌ８は走査ライン番号を示している。Ｄ１〜Ｄ８は、走査ラインＬ１〜Ｌ８に対応する１ライン分のデータを示している。Ｄ０は、有効画面内には存在しない走査ラインＬ０に対応する１ライン分のデータを示している。また、太枠で囲まれた２ラインは、同一データで点灯される走査ラインペアを示している。
【００１６】
〔２−１〕サブフレーム期間Ｔｓ１およびサブフレーム期間Ｔｓ３での動作
サブフレーム期間Ｔｓ１およびサブフレーム期間Ｔｓ３での動作について説明する。
【００１７】
まず、フレームメモリ１から走査ラインＬ１に対応するデータＤ１が読み出されてデータドライバ制御部２に与えられる。データドライバ制御部２からデータドライバ１１にデータＤ１の信号レベルに応じた制御信号が与えられる。この結果、データドライバ１１によって各データ電極にデータＤ１の信号レベルに応じた電圧が印加される。
【００１８】
また、サブフレーム駆動制御部３から走査ドライバ制御部４に、電圧を印加すべき走査ラインとして、Ｌ１とＬ２とを指示する制御信号が与えられ、走査ドライバ１２によって走査ラインＬ１，Ｌ２に対応する走査電極に駆動電圧が印加される。したがって、走査ラインＬ１，Ｌ２がデータＤ１の信号レベルで発光せしめられる。
【００１９】
次に、走査ラインＬ３，Ｌ４がデータＤ３の信号レベルで発光せしめられる。次に、走査ラインＬ５，Ｌ６がデータＤ５の信号レベルで発光せしめられる。そして、最後に走査ラインＬ７，Ｌ８がデータＤ７の信号レベルで発光せしめられる。
【００２０】
〔２−２〕サブフレーム期間Ｔｓ２およびサブフレーム期間Ｔｓ４での動作
サブフレーム期間Ｔｓ２およびサブフレーム期間Ｔｓ４での動作について説明する。
【００２１】
まず、フレームメモリ１から有効画面に表示されない走査ラインＬ０に対応するデータＤ０が読み出されてデータドライバ制御部２に与えられる。データドライバ制御部２からデータドライバ１１にデータＤ０の信号レベルに応じた制御信号が与えられる。この結果、データドライバ１１によって各データ電極にデータＤ０の信号レベルに応じた電圧が印加される。
【００２２】
また、サブフレーム駆動制御部３から走査ドライバ制御部４に、電圧を印加すべき走査ラインとして、Ｌ０とＬ１とを指示する制御信号が与えられ、走査ドライバ１２によって走査ラインＬ０，Ｌ１に対応する走査電極に駆動電圧が印加される。したがって、走査ラインＬ０，Ｌ１がデータＤ０の信号レベルで発光せしめられる。
【００２３】
次に、走査ラインＬ２，Ｌ３がデータＤ２の信号レベルで発光せしめられる。次に、走査ラインＬ４，Ｌ５がデータＤ４の信号レベルで発光せしめられる。次に、走査ラインＬ６，Ｌ７がデータＤ６の信号レベルで発光せしめられる。そして、最後に走査ラインＬ８，Ｌ９（有効画面に表示されない走査ライン）がデータＤ８の信号レベルで発光せしめられる。
【００２４】
上記実施例では、２つの走査ラインが同時に駆動されるので、サブフレーム数を増加させることなく、１フレーム期間の各走査ラインの点灯時間を増加させることができる。２つの走査ラインを同時に駆動すると、垂直解像度が低下するが、サブフィールド周期で偶数番目の走査ラインに対応する表示データと、奇数番目の走査ラインに対応する表示データとを切り換えているので、垂直解像度の低下が改善される。
【００２５】
上記実施例では、サブフレーム期間Ｔｓ１およびサブフレーム期間Ｔｓ３においては、奇数番目の走査ラインとその次の偶数番目の走査ラインとからなる複数の走査ラインペアに対応する走査電極ペアに、駆動電圧が１走査電極ペア毎に順次印加されるとともに、データ電極に、電圧が印加される走査電極ペアに対応する２つの走査ラインのうち、奇数番目の走査ラインに相当するデータＤ１，Ｄ３，Ｄ５，Ｄ７に対応する電圧が印加されている。そして、サブフレーム期間Ｔｓ２およびサブフレーム期間Ｔｓ４においては、偶数番目の走査ラインとその次の奇数番目の走査ラインとからなる複数の走査ラインペアに対応する走査電極ペアに、駆動電圧が１走査電極ペア毎に順次印加されるとともに、データ電極に、電圧が印加される走査電極ペアに対応する２つの走査ラインのうち、偶数番目の走査ラインに相当するデータＤ０，Ｄ２，Ｄ４，Ｄ６，Ｄ８に対応する電圧が印加されている。
【００２６】
しかしながら、サブフレーム期間Ｔｓ１およびサブフレーム期間Ｔｓ３において、奇数番目の走査ラインとその次の偶数番目の走査ラインとからなる複数の走査ラインペアに対応する走査電極ペアに、駆動電圧を１走査電極ペア毎に順次印加するとともに、データ電極に、電圧が印加される走査電極ペアに対応する２つの走査ラインのうち、偶数番目の走査ラインに相当するデータに対応する電圧Ｄ２，Ｄ４，Ｄ６，Ｄ８を印加し、サブフレーム期間Ｔｓ２およびサブフレーム期間Ｔｓ４においては、偶数番目の走査ラインとその次の奇数番目の走査ラインとからなる複数の走査ラインペアに対応する走査電極ペアに、駆動電圧を１走査電極ペア毎に順次印加するとともに、データ電極に、電圧が印加される走査電極ペアに対応する２つの走査ラインのうち、奇数番目の走査ラインに相当するデータＤ１，Ｄ３，Ｄ５，Ｄ７，Ｄ９に対応する電圧を印加するようにしてもよい。
【実施例２】
【００２７】
〔１〕表示装置の構成の説明
図３は、無機ＥＬディスプレイ等の自発光型表示器を備えた表示装置の電気的構成を示している。図３において、図１と同じものには、同じ符号を付してその説明を省略する。      
【００２８】
この表示装置では、フレームメモリ１の後段に平均値算出部５が設けられている。サブフレーム駆動制御部３は、フレームメモリ１からのデータの読み出しを制御するとともに、電圧を印加すべき走査ラインを指定するための制御信号を走査ドライバ制御部４に与える。また、フレーム駆動制御部３は、フレームメモリ１から読み出されたデータを平均値算出部５をスルーさせてデータドライバ制御部２に送るか、平均値算出部５によって平均値を算出させた後にデータドライバ制御部２に送るかを制御する。
【００２９】
〔２〕動作の説明
図４を参照して、表示装置の動作について説明する。
この例では、図４に示すように、１フレーム期間Ｔが４つのサブフレーム期間Ｔｓ１〜Ｔｓ４に分割されている。
【００３０】
図４において、Ｌ１〜Ｌ８は走査ライン番号を示している。Ｄ１〜Ｄ８は、走査ラインＬ１〜Ｌ８に対応する１ライン分のデータを示している。Ｄ０は、有効画面内には存在しない走査ラインＬ０に対応する１ライン分のデータを示している。Ｄ９は、有効画面内には存在しない走査ラインＬ９に対応する１ライン分のデータを示している。また、太枠で囲まれた２ラインは、同一データで点灯される走査ラインペアを示している。
【００３１】
〔２−１〕サブフレーム期間Ｔｓ１での動作
サブフレーム期間Ｔｓ１での動作について説明する。
【００３２】
まず、フレームメモリ１から走査ラインＬ１に対応するデータＤ１が読み出される。フレームメモリ１から読み出されたデータＤ１は、平均値算出部５をスルーしてデータドライバ制御部２に与えられる。データドライバ制御部２からデータドライバ１１にデータＤ１の信号レベルに応じた制御信号が与えられる。この結果、データドライバ１１によって各データ電極にデータＤ１の信号レベルに応じた電圧が印加される。
【００３３】
また、サブフレーム駆動制御部３から走査ドライバ制御部４に、電圧を印加すべき走査ラインとして、Ｌ１とＬ２とを指示する制御信号が与えられ、走査ドライバ１２によって走査ラインＬ１，Ｌ２に対応する走査電極に駆動電圧が印加される。したがって、走査ラインＬ１，Ｌ２がデータＤ１の信号レベルで発光する。
【００３４】
次に、走査ラインＬ３，Ｌ４がデータＤ３の信号レベルで発光せしめられる。次に、走査ラインＬ５，Ｌ６がデータＤ５で発光せしめられる。そして、最後に走査ラインＬ７，Ｌ８がデータＤ７で発光せしめられる。
【００３５】
〔２−２〕サブフレーム期間Ｔｓ２での動作
サブフレーム期間Ｔｓ２での動作について説明する。
【００３６】
まず、フレームメモリ１から有効画面に表示されない走査ラインＬ０に対応するデータＤ０と、走査ラインＬ１に対応するデータＤ１が読み出されて、平均値算出部５に送られる。平均値算出部５では、データＤ０とデータＤ１との平均値｛（Ｄ０＋Ｄ１）／２｝が算出され、その算出結果がデータドライバ制御部２に与えられる。データドライバ制御部２からデータドライバ１１に平均値｛（Ｄ０＋Ｄ１）／２｝の信号レベルに応じた制御信号が与えられる。この結果、データドライバ１１によって各データ電極に平均値｛（Ｄ０＋Ｄ１）／２｝の信号レベルに応じた電圧が印加される。
【００３７】
また、サブフレーム駆動制御部３から走査ドライバ制御部４に、電圧を印加すべき走査ラインとして、Ｌ０とＬ１とを指示する制御信号が与えられるので、走査ドライバ１２によって走査ラインＬ０，Ｌ１に対応する走査電極に駆動電圧が印加される。したがって、走査ラインＬ０，Ｌ１がデータＤ０とデータＤ１との平均値｛（Ｄ０＋Ｄ１）／２｝の信号レベルで発光する。
【００３８】
次に、走査ラインＬ２，Ｌ３がデータＤ２とデータＤ３との平均値｛（Ｄ２＋Ｄ３）／２｝の信号レベルで発光せしめられる。次に、走査ラインＬ４，Ｌ５がデータＤ４とデータＤ５との平均値｛（Ｄ４＋Ｄ５）／２｝の信号レベルで発光せしめられる。次に、走査ラインＬ６，Ｌ７がデータＤ６とデータＤ７との平均値｛（Ｄ６＋Ｄ７）／２｝の信号レベルで発光せしめられる。そして、最後に走査ラインＬ８，Ｌ９（有効画面に表示されない走査ライン）がデータＤ８とデータＤ９との平均値｛（Ｄ８＋Ｄ９）／２｝の信号レベルで発光せしめられる。
【００３９】
〔２−３〕サブフレーム期間Ｔｓ３での動作
サブフレーム期間Ｔｓ３での動作について説明する。
【００４０】
まず、フレームメモリ１から走査ラインＬ１に対応するデータＤ１と、走査ラインＬ２に対応するデータＤ２が読み出されて、平均値算出部５に送られる。平均値算出部５では、データＤ１とデータＤ２との平均値｛（Ｄ１＋Ｄ２）／２｝が算出され、その算出結果がデータドライバ制御部２に与えられる。データドライバ制御部２からデータドライバ１１に平均値｛（Ｄ１＋Ｄ２）／２｝の信号レベルに応じた制御信号が与えられる。この結果、データドライバ１１によって各データ電極に平均値｛（Ｄ１＋Ｄ２）／２｝の信号レベルに応じた電圧が印加される。
【００４１】
また、サブフレーム駆動制御部３から走査ドライバ制御部４に、電圧を印加すべき走査ラインとして、Ｌ１とＬ２とを指示する制御信号が与えられるので、走査ドライバ１２によって走査ラインＬ１，Ｌ２に対応する走査電極に駆動電圧が印加される。したがって、走査ラインＬ１，Ｌ２がデータＤ１とデータＤ２との平均値｛（Ｄ１＋Ｄ２）／２｝の信号レベルで発光する。
【００４２】
次に、走査ラインＬ３，Ｌ４がデータＤ３とデータＤ４との平均値｛（Ｄ３＋Ｄ４）／２｝の信号レベルで発光せしめられる。次に、走査ラインＬ５，Ｌ６がデータＤ５とデータＤ６との平均値｛（Ｄ５＋Ｄ６）／２｝の信号レベルで発光せしめられる。そして、最後に、走査ラインＬ７，Ｌ８がデータＤ７とデータＤ８との平均値｛（Ｄ７＋Ｄ８）／２｝の信号レベルで発光せしめられる。
【００４３】
〔２−４〕サブフレーム期間Ｔｓ４での動作
サブフレーム期間Ｔｓ４での動作について説明する。
【００４４】
まず、フレームメモリ１から有効画面に表示されない走査ラインＬ０に対応するデータＤ０が読み出される。フレームメモリ１から読み出されたデータＤ０は、平均値算出部５をスルーしてデータドライバ制御部２に与えられる。データドライバ制御部２からデータドライバ１１にデータＤ０の信号レベルに応じた制御信号が与えられる。この結果、データドライバ１１によって各データ電極にデータＤ０の信号レベルに応じた電圧が印加される。
【００４５】
また、サブフレーム駆動制御部３から走査ドライバ制御部４に、電圧を印加すべき走査ラインとして、Ｌ０とＬ１とを指示する制御信号が与えられ、走査ドライバ１２によって走査ラインＬ０，Ｌ１に対応する走査電極に駆動電圧が印加される。したがって、走査ラインＬ０，Ｌ１がデータＤ０の信号レベルで発光する。
【００４６】
次に、走査ラインＬ２，Ｌ３がデータＤ２の信号レベルで発光せしめられる。次に、走査ラインＬ４，Ｌ５がデータＤ４で発光せしめられる。そして、最後に走査ラインＬ８，Ｌ９がデータＤ８で発光せしめられる。
【００４７】
上記実施例では、２つの走査ラインが同時に駆動されるので、サブフレーム数を増加させることなく、１フレーム期間の各走査ラインの点灯時間を増加させることができる。  ２つの走査ラインを同時に駆動すると、垂直解像度が低下するが、サブフレームの中に、表示データとして、偶数番目の走査ラインに対応する表示データと奇数番目の走査ラインに対応する表示データとの平均値が用いられているものがあるので、垂直解像度の低下が改善される。
【００４８】
なお、１フレーム期間が、例えば６つのサブフレーム期間Ｔｓ１〜Ｔｓ６に分割されている場合には、各サブフレーム期間Ｔｓ１〜Ｔｓ６で次のような制御を行うようにしてもよい。
【００４９】
サブフレーム期間Ｔｓ１：図４のサブフレーム期間Ｔｓ１と同様な制御
サブフレーム期間Ｔｓ２：図４のサブフレーム期間Ｔｓ２と同様な制御
サブフレーム期間Ｔｓ３：図４のサブフレーム期間Ｔｓ４と同様な制御
サブフレーム期間Ｔｓ４：図４のサブフレーム期間Ｔｓ１と同様な制御
サブフレーム期間Ｔｓ５：図４のサブフレーム期間Ｔｓ３と同様な制御
サブフレーム期間Ｔｓ６：図４のサブフレーム期間Ｔｓ４と同様な制御
【図面の簡単な説明】
【００５０】
【図１】無機ＥＬディスプレイ等の自発光型表示器を備えた表示装置の電気的構成を示すブロック図である。
【図２】図１の表示装置の動作を説明するための模式図である。
【図３】無機ＥＬディスプレイ等の自発光型表示器を備えた表示装置の電気的構成を示すブロック図である。
【図４】図３の表示装置の動作を説明するための模式図である。
【符号の説明】
【００５１】
１  フレームメモリ
２  データドライバ制御部
３  走査ドライバ制御部
４  サブフレーム駆動制御部
５  平均値算出部
１０  自発光型表示器
１１  データドライバ
１２  走査ドライバ
【図１】
2005266236.tif 000003
【図２】
2005266236.tif 000004
【図３】
2005266236.tif 000005
【図４】
2005266236.tif 000006